(57)【要約】【課題】歯ブラシを立て掛けることができることができるとともに、容易に使い捨てることができる歯ブラシ立ての提供。【解決手段】歯ブラシ立て１は、床面に設置される台座部２と、台座部２から上方に向かって延出する支柱部３とを備えている。台座部２および支柱部３は、シート状の部材を組み合わせることによって一体的に形成されている。具体的には、台座部２は、２枚の矩形シート状の底面部材２１，２２を重ね合わせて構成されている。支柱部３は、矩形シート状の正面部材３１と、矩形シート状の背面部材３２と、正面部材３１の上端の辺および背面部材３２の上端の辺に架け渡すようにして接続された矩形シート状の天面部材３３とを備えている。天面部材３３は、左右方向に沿って形成されるとともに、歯ブラシＴＢを挿入する２つの挿入口Ｈ１，Ｈ２を有している。【選択図】図１
0003186863.tif 000002
【実用新案登録請求の範囲】
【請求項１】
床面に設置される台座部と、前記台座部から上方に向かって延出するとともに、歯ブラシを挿入する少なくとも１つの挿入口を有する支柱部とを備える歯ブラシ立てであって、
前記台座部および前記支柱部は、シート状の部材を組み合わせることによって一体的に形成されていることを特徴とする歯ブラシ立て。
【請求項２】
請求項１に記載された歯ブラシ立てにおいて、
前記台座部および前記支柱部は、シート状の部材を互いに接続することによって一体的に形成されるとともに、折り畳み可能に形成されることを特徴とする歯ブラシ立て。
【請求項３】
請求項１または請求項２に記載された歯ブラシ立てにおいて、
前記台座部および前記支柱部は、樹脂製であることを特徴とする歯ブラシ立て。
【請求項４】
請求項１から請求項３のいずれかに記載された歯ブラシ立てにおいて、
前記支柱部は、複数の前記挿入口を有し、
前記複数の挿入口には、それぞれ異なる色彩または模様を付してあることを特徴とする歯ブラシ立て。
【考案の詳細な説明】
【技術分野】
【０００１】
本考案は、歯ブラシ立てに関する。
【背景技術】
【０００２】
従来、床面に設置される台座部と、台座部から上方に向かって延出するとともに、歯ブラシを挿入する挿入口を有する支柱部とを備える歯ブラシ立てが知られている。
例えば、特許文献１に記載された歯ブラシ立ては、床面に設置されるとともに、歯ブラシの柄を受ける受け台（台座部）と、歯ブラシを挿入する挿通孔（挿入口）を有する笠状の支持体（支柱部）と、この支持体を支持する支柱（支柱部）とを備えている。
【０００３】
ところで、ホテルや旅館などの宿泊施設では、使い捨ての歯ブラシを宿泊客向けに提供している。このような使い捨ての歯ブラシを備え付けておくことによって、宿泊客は、歯ブラシを持参する必要がなくなるので、宿泊施設は、宿泊客に対して利便性の高いサービスを提供することができる。
これに対して、使い捨ての歯ブラシを使用後に立て掛けておく歯ブラシ立てを備えつけている宿泊施設はあまりなく、宿泊客は、就寝前に使用した歯ブラシをコップの中に入れておいたり、洗面台の周辺に寝かせておいたりして保管している。そして、翌朝になって、宿泊客は、その歯ブラシを使用して再び歯を磨くことになるので、不衛生であるという問題がある。そのため、使い捨ての歯ブラシであっても使用後には歯ブラシ立てに立て掛けておくことが望ましい。
【先行技術文献】
【特許文献】
【０００４】
【特許文献１】特開２０１１−１９３９３８号公報
【考案の概要】
【考案が解決しようとする課題】
【０００５】
しかしながら、特許文献１に記載された歯ブラシ立てのような一般的な歯ブラシ立ては、歯ブラシを繰り返し立て掛けるために十分なサイズや強度を有する構造をしており、宿泊客が持ち運ぶには不便であるという問題がある。また、このような構造をしているため、使い捨てるには少し勿体ないという問題がある。
【０００６】
本考案の目的は、歯ブラシを立て掛けることができることができるとともに、容易に使い捨てることができる歯ブラシ立てを提供することである。
【課題を解決するための手段】
【０００７】
本考案の歯ブラシ立ては、床面に設置される台座部と、台座部から上方に向かって延出するとともに、歯ブラシを挿入する少なくとも１つの挿入口を有する支柱部とを備える歯ブラシ立てであって、台座部および支柱部は、シート状の部材を組み合わせることによって一体的に形成されていることを特徴とする。
【０００８】
ここで、シート状の部材とは、樹脂や紙などの薄い板状の部材である。具体的には、歯ブラシを繰り返し立て掛けるには十分でなく、歯ブラシを何回か立て掛けることができる程度の強度を有する部材である。
本発明によれば、台座部および支柱部は、シート状の部材を組み合わせることによって一体的に形成されているので、歯ブラシ立ては、歯ブラシを何回か立て掛けることができるとともに、使用後は容易に使い捨てることができる。
【０００９】
本考案では、台座部および支柱部は、シート状の部材を互いに接続することによって一体的に形成されるとともに、折り畳み可能に形成されることが好ましい。
【００１０】
このような構成によれば、台座部および支柱部は、折り畳み可能に形成されているので、持ち運ぶ際や宿泊施設に備え付けておく際には、台座部および支柱部を折り畳んだ状態にしてコンパクトに収納することができる。また、歯ブラシ立てを使用する際には、台座部および支柱部を広げて歯ブラシを立て掛けることができる十分なサイズにすることができる。したがって、本発明の歯ブラシ立ての利便性を更に向上させることができる。
【００１１】
本考案では、台座部および支柱部は、樹脂製であることが好ましい。
【００１２】
このような構成によれば、歯ブラシを何回か立て掛けることができる程度の強度を水に濡れても維持することができる。したがって、台座部および支柱部を紙製とした場合と比較して、本発明の歯ブラシ立ての利便性を更に向上させることができる。
【００１３】
本考案では、支柱部は、複数の挿入口を有し、複数の挿入口には、それぞれ異なる色彩または模様を付してあることが好ましい。
【００１４】
このような構成によれば、複数の挿入口には、それぞれ異なる色彩または模様を付してあるので、これらの色彩や模様を目印にすることによって歯ブラシ立ての使用者が複数であっても自己の歯ブラシを容易に識別することができる。したがって、本発明の歯ブラシ立ての利便性を更に向上させることができる。
【図面の簡単な説明】
【００１５】
【図１】本考案の第１実施形態に係る歯ブラシ立てを斜め正面側から見た斜視図
【図２】歯ブラシ立てを折り畳んでいる途中の状態を示す斜視図
【図３】歯ブラシ立てを折り畳んだ状態を示す斜視図
【図４】本発明の第２実施形態に係る歯ブラシ立てを斜め正面側から見た斜視図
【図５】歯ブラシ立てを折り畳んでいる途中の状態を示す斜視図
【図６】歯ブラシ立てを折り畳んだ状態を示す斜視図
【図７】本発明の第３実施形態に係る歯ブラシ立てを斜め正面側から見た斜視図
【図８】歯ブラシ立てを折り畳んでいる途中の状態を示す斜視図
【図９】歯ブラシ立てを折り畳んだ状態を示す斜視図
【図１０】本発明の第４実施形態に係る歯ブラシ立てを斜め正面側から見た斜視図
【図１１】歯ブラシ立てを折り畳んだ状態を示す斜視図
【考案を実施するための形態】
【００１６】
〔第１実施形態〕
以下、本考案の第１実施形態を図面に基づいて説明する。
図１は、本考案の第１実施形態に係る歯ブラシ立てを斜め正面側から見た斜視図である。
歯ブラシ立て１は、図１に示すように、歯ブラシＴＢを立て掛けるための器具である。この歯ブラシ立て１は、床面に設置される台座部２と、台座部２から上方に向かって延出する支柱部３とを備えている。本実施形態では、台座部２および支柱部３は樹脂製である。なお、台座部２および支柱部３は、樹脂製以外の他の材質であってもよく、例えば、紙製などであってもよい。
【００１７】
台座部２は、２枚の矩形シート状の底面部材２１，２２を重ね合わせて構成されている。本実施形態では、床面側の底面部材を２１とし、底面部材２１の上方に重ね合わされた底面部材を２２としている。
支柱部３は、底面部材２２の正面側の辺に下端の辺を接続された矩形シート状の正面部材３１と、底面部材２１の背面側の辺に下端の辺を接続された矩形シート状の背面部材３２と、正面部材３１の上端の辺および背面部材３２の上端の辺に架け渡すようにして接続された矩形シート状の天面部材３３とを備えている。
【００１８】
具体的には、底面部材２１，２２、正面部材３１、背面部材３２、および天面部材３３は、１枚の帯状の部材を折り曲げることによって形成されている。そして、底面部材２１の正面側の辺と、底面部材２２の正面側の辺とは、テープ（図示略）にて互いに接続されている。すなわち、台座部２および支柱部３は、シート状の部材を組み合わせることによって一体的に形成されている。
【００１９】
なお、本実施形態では、底面部材２１の正面側の辺と、底面部材２２の正面側の辺とは、テープにて互いに接続されているが、これ以外の構造によって接続されていてもよい。例えば、底面部材２１の正面側の辺にベロを形成し、底面部材２２の正面側の辺にスリットを形成し、スリットにベロを差し込むことによって、底面部材２１の正面側の辺と、底面部材２２の正面側の辺とを互いに接続してもよい。
また、本実施形態では、支柱部３は、側面部材を備えていないが、側面部材を左右に備えていてもよい。このような構成によれば、支柱部３の強度を更に向上させることができる。
【００２０】
天面部材３３は、左右方向に沿って形成されるとともに、歯ブラシＴＢを挿入する２つの挿入口Ｈ１，Ｈ２を有している。この天面部材３３は、その左右方向に沿って形成された折り目Ｃ１を有している。
また、挿入口Ｈ１，Ｈ２には、それぞれ異なる模様を付してある。具体的には、挿入口Ｈ１の前面側には、星形のマークを付してあり、挿入口Ｈ２の前面側には、ハート形のマークを付してある。なお、挿入口Ｈ１，Ｈ２には、それぞれ異なる模様を付す代わりに、それぞれ異なる色彩を付してあってもよい。要するに、これらを目印にすることによって歯ブラシ立て１の使用者が複数であっても自己の歯ブラシＴＢを容易に識別することができればよい。
【００２１】
図２は、歯ブラシ立て１を折り畳んでいる途中の状態を示す斜視図である。図３は、歯ブラシ立て１を折り畳んだ状態を示す斜視図である。
底面部材２１は、図２に示すように、その左右方向に沿って形成された折り目Ｃ２を有している。
歯ブラシ立て１は、天面部材３３の折り目Ｃ１と、底面部材２１の折り目Ｃ２とを内側に向かって折り曲げるとともに、底面部材２２の背面側の辺を上方に引き上げることによって、図３に示すように、正面部材３１と、背面部材３２とを近づけるようにして折り畳むことができる。すなわち、台座部２および支柱部３は、折り畳み可能に形成されている。
【００２２】
このような本実施形態によれば、以下の作用・効果を奏することができる。
（１）台座部２および支柱部３は、シート状の部材を組み合わせることによって一体的に形成されているので、歯ブラシ立て１は、歯ブラシＴＢを何回か立て掛けることができるとともに、使用後は容易に使い捨てることができる。
（２）台座部２および支柱部３は、折り畳み可能に形成されているので、持ち運ぶ際や宿泊施設に備え付けておく際には、台座部２および支柱部３を折り畳んだ状態にしてコンパクトに収納することができる。また、歯ブラシ立て１を使用する際には、台座部２および支柱部３を広げて歯ブラシＴＢを立て掛けることができる十分なサイズにすることができる。
【００２３】
（３）台座部２および支柱部３は樹脂製であるので、歯ブラシＴＢを何回か立て掛けることができる程度の強度を水に濡れても維持することができる。したがって、台座部２および支柱部３を紙製とした場合と比較して、歯ブラシ立て１の利便性を更に向上させることができる。
（４）挿入口Ｈ１，Ｈ２には、それぞれ異なる模様を付してあるので、これらの模様を目印にすることによって歯ブラシ立て１の使用者が複数であっても自己の歯ブラシＴＢを容易に識別することができる。
【００２４】
〔第２実施形態〕
以下、本発明の第２実施形態を図面に基づいて説明する。
図４は、本発明の第２実施形態に係る歯ブラシ立てを斜め正面側から見た斜視図である。
なお、以下の説明では、既に説明した部分については、同一符号を付してその説明を省略する。
【００２５】
前記第１実施形態では、歯ブラシ立て１は、支柱部３を備え、支柱部３は、正面部材３１の上端の辺および背面部材３２の上端の辺に架け渡すようにして接続された矩形シート状の天面部材３３を備えていた。また、天面部材３３は、左右方向に沿って形成されるとともに、歯ブラシＴＢを挿入する２つの挿入口Ｈ１，Ｈ２を有していた。
【００２６】
これに対して、本実施形態では、歯ブラシ立て１Ａは、図４に示すように、支柱部３Ａを備え、支柱部３Ａは、正面部材３１Ａと、背面部材３２Ａとを備えている。ここで、正面部材３１Ａおよび背面部材３２Ａは、同一の形状に形成されている。また、正面部材３１Ａは、その上方の部位に左右方向に沿って形成されるとともに、歯ブラシＴＢを挿入する２つの挿入口Ｈ１，Ｈ２を有している点で前記第１実施形態と異なる。換言すれば、本実施形態では、支柱部３Ａは、天面部材を備えていない点で前記第１実施形態と異なる。
【００２７】
図５は、歯ブラシ立て１Ａを折り畳んでいる途中の状態を示す斜視図である。図６は、歯ブラシ立て１Ａを折り畳んだ状態を示す斜視図である。
歯ブラシ立て１Ａは、底面部材２１の折り目Ｃ２を折り曲げるとともに、底面部材２２の背面側の辺を上方に引き上げることによって、図５および図６に示すように、正面部材３１と、背面部材３２とを近づけるようにして折り畳むことができる。
このような本実施形態によれば、前記第１実施形態と同様の作用・効果を奏することができる。
【００２８】
〔第３実施形態〕
図７は、本発明の第３実施形態に係る歯ブラシ立てを斜め正面側から見た斜視図である。
前記第２実施形態では、歯ブラシ立て１Ａは、支柱部３Ａを備え、支柱部３Ａは、正面部材３１Ａと、背面部材３２Ａとを備え、正面部材３１Ａおよび背面部材３２Ａは、同一の形状に形成されていた。
【００２９】
これに対して、本実施形態では、歯ブラシ立て１Ｂは、支柱部３Ｂを備え、支柱部３Ｂは、正面部材３１Ｂと、背面部材３２Ｂとを備え、正面部材３１Ｂの高さ方向の長さよりも背面部材３２Ｂの高さ方向の長さが短い点で前記第２実施形態と異なる。
ここで、正面部材３１Ｂの高さ方向の長さよりも背面部材３２Ｂの高さ方向の長さが短いので、正面部材３１Ｂの上側部分は緩やかに湾曲した形状となる。正面部材３１Ｂは、その湾曲した部位に左右方向に沿って形成されるとともに、歯ブラシＴＢを挿入する２つの挿入口Ｈ１，Ｈ２を有している。
【００３０】
図８は、歯ブラシ立て１Ｂを折り畳んでいる途中の状態を示す斜視図である。図９は、歯ブラシ立て１Ｂを折り畳んだ状態を示す斜視図である。
歯ブラシ立て１Ｂは、底面部材２１の折り目Ｃ３を折り曲げるとともに、底面部材２２の背面側の辺を上方に引き上げることによって、図８および図９に示すように、正面部材３１と、背面部材３２とを近づけるようにして折り畳むことができる。なお、底面部材２１の折り目Ｃ３は、前記第１実施形態および前記第２実施形態における底面部材２１の折り目Ｃ２よりも背面側に形成されている。
このような本実施形態によれば、前記第２実施形態と同様の作用・効果を奏することができる。
【００３１】
〔第４実施形態〕
図１０は、本発明の第４実施形態に係る歯ブラシ立てを斜め正面側から見た斜視図である。
前記第３実施形態では、歯ブラシ立て１Ｂは、底面部材２１，２２と、支柱部３Ｂとを備え、支柱部３Ｂは、正面部材３１Ｂと、背面部材３２Ｂとを備えていた。
これに対して、本実施形態では、歯ブラシ立て１Ｃは、図１０に示すように、台座部２Ｃと、支柱部３Ｃとを備え、支柱部３Ｃは、背面部材を備えていない点で前記第３実施形態と異なる。
ここで、支柱部３Ｃの上側部分は、歯ブラシ立て１Ｃの使用者によって緩やかに湾曲した形状に形成されている。この支柱部３Ｃは、その湾曲した部位に左右方向に沿って形成されるとともに、歯ブラシＴＢを挿入する２つの挿入口Ｈ１，Ｈ２を有している。
【００３２】
図１１は、歯ブラシ立て１Ｃを折り畳んだ状態を示す斜視図である。
歯ブラシ立て１Ｃは、台座部２Ｃの背面側の辺を上方に引き上げることによって、図１１に示すように、台座部２Ｃと、支柱部３Ｃとを近づけるようにして折り畳むことができる。
このような本実施形態によれば、前記第３実施形態と同様の作用・効果を奏することができる。
【００３３】
なお、本考案は前記各実施形態に限定されるものではなく、本考案の目的を達成できる範囲での変形、改良等は本考案に含まれるものである。
例えば、前記各実施形態では、台座部および支柱部は、折り畳み可能に形成されていたが、折り畳み可能に構成されていなくてもよく、例えば、組み立て式であってもよい。要するに、台座部および支柱部は、シート状の部材を組み合わせることによって一体的に形成されていればよい。
前記各実施形態では、挿入口Ｈ１，Ｈ２には、それぞれ異なる模様を付してあったが、付していなくてもよい。
【産業上の利用可能性】
【００３４】
以上のように、本考案は、歯ブラシ立てに広く適用できる。
【符号の説明】
【００３５】
１，１Ａ，１Ｂ，１Ｃ  歯ブラシ立て
２，２Ｃ              台座部
３，３Ａ，３Ｂ，３Ｃ  支柱部
２１，２２            底面部材
３１，３１Ａ，３１Ｂ  正面部材
３２，３２Ａ，３２Ｂ  背面部材
３３                  天面部材
Ｃ１，Ｃ２，Ｃ３      折り目
Ｈ１，Ｈ２            挿入口
ＴＢ                  歯ブラシ
【図１】
0003186863.tif 000003
【図２】
0003186863.tif 000004
【図３】
0003186863.tif 000005
【図４】
0003186863.tif 000006
【図５】
0003186863.tif 000007
【図６】
0003186863.tif 000008
【図７】
0003186863.tif 000009
【図８】
0003186863.tif 000010
【図９】
0003186863.tif 000011
【図１０】
0003186863.tif 000012
【図１１】
0003186863.tif 000013
【手続補正書】
【提出日】平成25年8月27日(2013.8.27)
【手続補正１】
【補正対象書類名】実用新案登録請求の範囲
【補正対象項目名】全文
【補正方法】変更
【補正の内容】
【実用新案登録請求の範囲】
【請求項１】
床面に設置される台座部と、前記台座部から上方に向かって延出するとともに、歯ブラシを挿入する少なくとも１つの挿入口を有する支柱部とを備える歯ブラシ立てであって、
前記台座部および前記支柱部は、シート状の部材を組み合わせることによって一体的に形成されていることを特徴とする歯ブラシ立て。
【請求項２】
請求項１に記載された歯ブラシ立てにおいて、
前記台座部および前記支柱部は、シート状の部材を互いに接続することによって一体的に形成されるとともに、当該シート状の部材の接続部位または当該シート状の部材に形成された折り目を折り曲げることによって、折り畳み可能に形成されることを特徴とする歯ブラシ立て。
【請求項３】
請求項１または請求項２に記載された歯ブラシ立てにおいて、
前記台座部および前記支柱部は、樹脂製であることを特徴とする歯ブラシ立て。
【請求項４】
請求項１から請求項３のいずれかに記載された歯ブラシ立てにおいて、
前記支柱部は、複数の前記挿入口を有し、
前記複数の挿入口には、それぞれ異なる色彩または模様を付してあることを特徴とする歯ブラシ立て。
【手続補正２】
【補正対象書類名】明細書
【補正対象項目名】０００９
【補正方法】変更
【補正の内容】
【０００９】
本考案では、台座部および支柱部は、シート状の部材を互いに接続することによって一体的に形成されるとともに、シート状の部材の接続部位またはシート状の部材に形成された折り目を折り曲げることによって、折り畳み可能に形成されることが好ましい。